(57)【要約】    【課題】  使用済みの粘着テープの巻きテープを新しいものに簡単に交換することが出来、しかも粘着テープを所望の長さに確実且つ容易にカットすることが出来る粘着テープの巻きテープ用ホルダーを提供する。    【解決手段】  巻きテープの左右側部にそれぞれ沿う左右一対の対向壁部と、これら左右対向壁部を所定間隔開けてほぼ平行に連結するための連結壁部とが備えられて、左右対向壁部間には、左右両対向壁を連結して巻きテープを支持するための支持部が設けられると共に、前記支持部による左右対向壁の連結は離脱可能であり、前記連結壁部には、巻きテープを切断するためのカッターが設けられ、左右対向壁部と連結壁部と支持部が可撓性を有する板材から一体形成されている。  【選択図】  図１
2006151544.tif 000002
【特許請求の範囲】
【請求項１】
巻きテープの左右側部にそれぞれ沿う左右一対の対向壁部と、これら左右対向壁部を所定間隔開けてほぼ平行に連結するための連結壁部とが備えられて、左右対向壁部間には、左右両対向壁を連結して巻きテープを支持するための支持部が設けられると共に、前記支持部による左右対向壁の連結は離脱可能であり、前記連結壁部には、巻きテープを切断するためのカッターが設けられていることを特徴とする粘着テープの巻きテープ用ホルダー。
【請求項２】
ホルダーの左右対向壁部と連結壁部と支持部が可撓性を有する板材から一体形成されていることを特徴とする請求項１に記載の粘着テープの巻きテープ用ホルダー。
【発明の詳細な説明】
【技術分野】
【０００１】
本発明は、いわゆる両面テープと称されている粘着テープの巻きテープを保持するためのホルダーに関する。
【背景技術】
【０００２】
一般に粘着テープの巻きテープは、帯状の粘着テープを同じく帯状の剥離紙の表面に貼り付けたものをリング状に巻いて形成されている。
【０００３】
そして以上の粘着テープの巻きテープを所定長さにカットするのに便利なように、カッターを備えてなるホルダーに装填されるのが好ましいのであるが、このホルダーが、例えばセロハンテープを装填するのに用いられているような剛性のあるプラスチック製であると、粘着力がセロハンテープよりも弱い粘着テープの巻きテープでは、カッターでカットする際に、巻きテープがホルダーに対して不用意に回転して、巻かれているテープが繰り出されてしまって、巻きテープのカットが非常に困難である。
【０００４】
そのため、従来、粘着テープの巻きテープは紙製のホルダーに装填され、カット時には、巻きテープがホルダーに対して不用意に回転しないように、紙製のホルダーを強く掴むことで、巻きテープを押さえ込めるようにしているのが一般的である。（特許文献１参照）
しかしながら、従来の紙製のホルダーは、装填していた巻きテープを使い切った後、別の巻きテープを補填することが出来ず、ホルダーの再利用が行なえないものであった。
【特許文献１】実開平４−２１３３３号
【発明の開示】
【発明が解決しようとする課題】
【０００５】
本発明は以上の実情に鑑みて開発したものであって、目的とするところは、使用済みの粘着テープの巻きテープを新しいものに簡単に交換することが出来、しかも粘着テープを所望の長さに確実且つ容易にカットすることが出来る粘着テープの巻きテープ用ホルダーを提供することにある。
【課題を解決するための手段】
【０００６】
以上の目的を達成するため、請求項１に記載の発明は、巻きテープの左右側部にそれぞれ沿う左右一対の対向壁部と、これら左右対向壁部を所定間隔開けてほぼ平行に連結するための連結壁部とが備えられて、左右対向壁部間には、左右両対向壁を連結して巻きテープを支持するための支持部が設けられると共に、前記支持部による左右対向壁の連結は離脱可能であり、前記連結壁部には、巻きテープを切断するためのカッターが設けられていることを特徴とするものである。
【０００７】
請求項２に記載の発明は、請求項１に記載のホルダーの左右対向壁部と連結壁部と支持部が可撓性を有する板材から一体形成されていることを特徴とするものである。
【発明の効果】
【０００８】
請求項１に記載の発明によれば、支持部を介して左右対抗壁間に粘着テープの巻きテープを確実に支持して、所定長さにカットすることが出来、しかも巻きテープの使用後は、支持部による左右対向壁の連結を解除することで、新しい巻きテープに交換することが出来る。
【０００９】
また請求項２に記載の発明によれば、請求項１に記載の発明の効果に加え、ホルダーを簡単に作成することが出来て、しかも巻きテープのカット作業時、左右対向壁部を押さえるだけで、巻きテープをホルダーに固定して、巻きテープがホルダーに対して不用意に回転するのを確実に防止することが出来る。
【発明を実施するための最良の形態】
【００１０】
図１〜図７に示すホルダー１は、剥離紙付粘着テ−プをリング状に巻いてなる巻きテープＴをセットして用いられるものである。
【００１１】
尚、前述の剥離紙付粘着テ−プは一般に両面テープと称されているものである。
【００１２】
ホルダー１は、可撓性を有する合成樹脂製の薄板から形成され、巻きテープＴの左右側部にそれぞれ沿う左右一対の対向壁部２ａ・２ｂと、これら左右対向壁部２ａ・２ｂを所定間隔開けてほぼ平行に連結するための短冊状の連結壁部３とが備えられている。
【００１３】
そして相対向する左右対向壁部２ａ・２ｂ間には、左右両対向壁部２ａ・２ｂを連結して巻きテープＴを支持するための上側支持部４ａ及び下側支持部４ｂと、左右両対向壁２ａ・２ｂを所定間隔開けて連結保持するための保持部５とが設けられ、これら上側支持部４ａ及び下側支持部４ｂと保持部５とによる左右対向壁部２ａ・２ｂの連結は、いずれも離脱可能となっており、また左右対向壁部２ａ・２ｂは、連結壁部３に対して揺動可能となっている。
【００１４】
具体的には、上側支持部４ａ及び下側支持部４ｂは、いずれも第１支持片４１ａ・４１ｂと、第２支持片４２ａ・４２ｂと、第１支持片４１ａ・４１ｂの先端に一体に形成されて、後記する挿通孔４４ａ・４４ｂに挿通される挿通片４３ａ・４３ｂとから構成されている。
【００１５】
上側支持部４ａの第１支持片４１ａと下側支持部４ｂの第１支持片４１ｂは、対向壁部２ａの中央に設けられた貫通孔２１ａの内周縁に対向状に一体形成され、上側支持部４ａの第２支持片４２ａと下側支持部４ｂの第２支持片４２ｂは、対向壁部２ｂの中央に設けられた貫通孔２１ｂの内周縁に対向状に一体形成され、挿通孔４４ａ・４４ｂは、対向壁部２ｂと各第２支持片４２ａ・４２ｂとの境界に形成されている。
【００１６】
また保持部５も、第１保持片５１と、第２保持片５２と、第１保持片５１の先端に一体に形成されて、後記する挿通孔５４に挿通される挿通片５３とから構成され、第１保持片５１は、対向壁部２ａの外周縁における連結壁部３近くに一体形成され、第２保持片５２は、対向壁部２ｂの外周縁における連結壁部３近くに一体形成され、挿通孔５４は、対向壁２ｂと第２保持片５２との境界に形成されている。
【００１７】
一方、連結壁部３の長さ方向一端部には、巻きテープＴを切断するためのカッター６が組み付けられている。
【００１８】
このカッター６は、連結壁部３に固定するための固定板６１とこの固定板６１の一端に設けられた鋸歯６２とが金属板から形成され、固定板６１には、その一部を切り起こして形成された一対の爪片６３が設けられている。
【００１９】
そして以上のカッター６は、図７にも示すように、固定板６１を連結壁部３の内面に当てがって、爪片６３を連結壁部３に形成した貫通孔３１に挿通すると共にその挿通端部を折り曲げて、この爪片６３と固定板６１とで連結壁部３を挟み込むことにより、連結壁部３に組み付けるようにしている。
【００２０】
また連結壁部３の長さ方向一端には、カッター６の爪片６３をカバーするためのカバー片７が延設されており、このカバー片７の両側には、接続用差し込み片７１が一体形成され、この接続用差し込み片７１は、連結壁部３と左右対向壁部２ａ・２ｂとの境界に形成されたスリット状の挿通孔７２に挿通するようにしている。
【００２１】
また図に示す実施形態では、連結壁部３及び左右の対向壁部２ａ・２ｂの外面には、テープのカット長さを計測するための目盛８が印刷されている。
【００２２】
尚、図１において点線で示すラインは、プレス成型により形成された折り曲げラインであって、この折り曲げラインで各構成部材が折り曲げられるようにしている。
【００２３】
以上の構成から成るホルダー１に新しい巻きテープＴを装填するには、先ず図２に示すように、巻きテープＴを一方の対向壁部２ａの内面側に載せた後、第１支持片４１ａ・４１ｂ、第２支持片４２ａ・４２ｂ及び第１、第２保持片５１・５２を対向壁部２ａ・２ｂに対して折り曲げ、また挿通片４３ａ・４３ｂ・５３を第１支持片４１ａ４１ｂ及び第２保持片５１に対して折り曲げる。
【００２４】
次に、図３に示すように、もう一方の対向壁部２ｂを折り曲げて巻きテープＴの側面に重ねると共に、第１支持片４１ａ・４１ｂを第２支持片４２ａ・４２ｂ上に重ね合わせ、続いて、図４、図５に示すように、挿通片４３ａ・４３ｂを挿通孔４４ａ・４４ｂに挿通し、また第１保持片５１も第２保持片５２上に重ね合わせた後、挿通片５３を挿通孔５４に挿通する。
【００２５】
更に接続用差し込み片７１をカバー片７に対して折り曲げると共に、カバー片７を連結壁部３に対して折り曲げて、接続用差し込み片７１を挿通孔７２に挿通する。
【００２６】
尚、以上のカバー片７は、巻きテープＴの装填前に予め折り曲げてセットしておいてもよい。
【００２７】
以上の手順によってホルダー１に装填された巻きテープＴは、左右対向壁部２ａ・２ｂ間において、上側支持部４ａと下側支持部４ｂとにより、回転可能に支持されるのであり、またカッター６の爪片６３は、カバー片７で覆われるのである。
【００２８】
そしてホルダー１に装填された巻きテープＴを所定長さにカットするに際しては、ホルダー１を手で持ちながら、指で左右対向壁部２ａ・２ｂを押さえ込めば、可撓性を有する合成樹脂製の薄板から形成された左右対向壁部２ａ・２ｂは簡単に撓んで、巻きテープＴが、左右対向壁部２ａ・２ｂを介してホールドされるので、巻きテープＴがホルダー１に対して不用意に回転するようなことがない。
【００２９】
従って、カッター６による巻きテープＴのカット作業がスムーズ且つ確実に行なえる。
【００３０】
また以上のホルダー１では、連結壁部３から左右対向壁部２ａ・２ｂにかけて目盛Ｓが印刷されているので、巻きテープを所望の長さにカットし易い。
【００３１】
一方、装填された巻きテープＴを交換する場合には、上側支持部４ａ及び下側支持部４ｂと保持部５とによる左右対向壁部２ａ・２ｂの連結を解除して、ホルダー１を展開した上で、新しい巻きテープＴを再度図２に示すようにセットしてホルダー１を再度前述の手順で組み立てればよい。
【００３２】
斯くして以上のホルダー１では、巻きテープＴの交換が行なえるし、しかも巻きテープのカット時には、巻きテープを確実にホールドすることが出来るので、巻きテープのカットが容易に行なえるのである。
【００３３】
以上の図１〜図７に示す実施形態では、上側支持部４ａの第１支持片４１ａと下側支持部４ｂの第１支持片４１ｂを、対向壁部２ａの中央に設けられた貫通孔２１ａの内周縁に対向状に一体形成し、上側支持部４ａの第２支持片４２ａと下側支持部４ｂの第２支持片４２ｂを、対向壁部２ｂの中央に設けられた貫通孔２１ｂの内周縁に対向状に一体形成したが、これに限定されるものではなく、例えば図８及び図９に示すように、上側支持部４ａの第１支持片４１ａと下側支持部４ｂの第２支持片４２ｂを、対向壁部２ａの中央に設けられた貫通孔２１ａの内周縁に対向状に一体形成し、上側支持部４ａの第２支持片４２ａと下側支持部４ｂの第１支持片４１ｂを、対向壁部２ｂの中央に設けられた貫通孔２１ｂの内周縁に対向状に一体形成してもよい。
【００３４】
また図１〜図７に示す実施形態では、保持部５を構成する第１保持片５１を対向壁部２ａに一体形成し、第２保持片５２を対向壁部２ｂに一体形成したが、図８に示すように、第１保持片５１を対向壁部２ｂに一体形成し、第２保持片５２を対向壁部２ａに一体形成してもよい。
【図面の簡単な説明】
【００３５】
【図１】本発明にかかるホルダーの展開図。
【図２】ホルダーに巻きテープを装填する作業過程を示す説明図。
【図３】ホルダーに巻きテープを装填する作業過程を示す説明図。
【図４】ホルダーに巻きテープを装填する作業過程を示す説明図。
【図５】ホルダーに巻きテープを装填する作業過程を示す説明図。
【図６】巻きテープを装填したホルダーの断面図。
【図７】ホルダーのカッター取り付け部位の拡大断面図。
【図８】本発明にかかるホルダーの別の実施形態を示す展開図。
【図９】図８に示すホルダーに巻きテープを装填した状態の断面図。
【符号の説明】
【００３６】
１          ホルダー
２ａ        左対向壁部
２ｂ        右対向壁部
３          連結壁部
４ａ        上側支持部
４ｂ        下側支持部
５          保持部
６          カッター
７          カバー片
Ｔ          巻きテープ
【図１】
2006151544.tif 000003
【図２】
2006151544.tif 000004
【図３】
2006151544.tif 000005
【図４】
2006151544.tif 000006
【図５】
2006151544.tif 000007
【図６】
2006151544.tif 000008
【図７】
2006151544.tif 000009
【図８】
2006151544.tif 000010
【図９】
2006151544.tif 000011